(57)【要約】      （修正有）【課題】試験片の向きが正しい向きになることを保証しながら、しかも試験装置の組立時間を短縮できる検査装置を提供する。【解決手段】本検査装置は、ストリップと、ストリップの試料流れ方向上流側に配置される試料滴下部２と、試料滴下部２よりも流れ方向下流側に配置される塗布部３と、塗布部３よりも流れ方向下流側に配置され最大の厚さを有する吸水ろ紙４と、検査領域５とを有する試験片と、試験片を流れ方向の正逆いずれの方向にも収納可能な保持部を有する容器本体と、容器本体の上方開口部を閉鎖する蓋３０とを備え、蓋３０の方向が試験片の流れ方向に合致しない場合、厚く形成された漏斗部３０が吸水ろ紙４に干渉し蓋３０で容器本体を閉鎖できないように形成される。【選択図】図９
0003142966.tif 000002
【実用新案登録請求の範囲】
【請求項１】
ストリップと、前記ストリップの試料流れ方向上流側に配置される試料滴下部と、前記試料滴下部よりも前記流れ方向下流側に配置される塗布部と、前記塗布部よりも前記流れ方向下流側に配置され最大の厚さを有する吸水ろ紙と、前記塗布部と前記吸水ろ紙との間に配置される検査領域とを有する試験片と、
前記試験片を前記流れ方向の正逆いずれの方向にも収納可能な保持部を有する容器本体と、
前記容器本体の上方開口部を閉鎖する蓋とを備える検査装置であって、
前記蓋の一部を前記蓋の他の部分よりも厚く形成し、前記蓋の方向が前記試験片の流れ方向に合致しない場合、厚く形成された前記蓋の一部が前記吸水ろ紙に干渉し前記蓋で前記容器本体を閉鎖できないように形成されることを特徴とする検査装置。
【請求項２】
前記厚く形成された前記蓋の一部は、前記蓋の方向が前記試験片の流れ方向に合致する場合、前記試験片の前記試料滴下部へ開口する漏斗部である請求項１記載の検査装置。
【請求項３】
前記蓋の方向が前記試験片の流れ方向に合致する場合、前記蓋のうち前記試験片の前記検査領域の上方に位置する部分は、前記検査領域を外部から視認できる透明又は半透明な観察窓となっている請求項１または２記載の検査装置。
【請求項４】
ストリップと、前記ストリップの中央部に配置される試料滴下部と、前記ストリップの第１端部に配置される第１吸水ろ紙と、前記試料滴下部よりも前記第１端部に至る第１流れ方向下流側に配置される第１塗布部と、前記第１塗布部と前記第１吸水ろ紙との間に配置される第１検査領域と、前記ストリップの第２端部に配置される第２吸水ろ紙と、前記試料滴下部よりも前記第２端部に至る第２流れ方向下流側に配置される第２塗布部と、前記第２塗布部と前記第２吸水ろ紙との間に配置される第２検査領域とを有する試験片と、
前記試験片を前記流れ方向の正逆いずれの方向にも収納可能な保持部を有する容器本体と、
前記容器本体の上方開口部を閉鎖する蓋とを備える検査装置であって、
前記第１吸水ろ紙及び前記第２吸水ろ紙の一方に切り欠き部を形成し、
前記蓋の方向が前記試験片の流れ方向に合致する場合、前記切り欠き部に至る突片を前記蓋に形成し、
前記蓋の方向が前記試験片の流れ方向に合致しない場合、前記突片が前記切り欠き部が形成されていない吸水ろ紙に干渉し前記蓋で前記容器本体を閉鎖できないように形成されることを特徴とする検査装置。
【請求項５】
前記蓋の方向が前記試験片の流れ方向に合致する場合、前記蓋のうち、前記第１、第２検査領域の上方に位置する部分は、それぞれ前記第１、第２検査領域を外部から視認できる透明又は半透明な第１、第２観察窓となっている請求項４記載の検査装置。
【考案の詳細な説明】
【技術分野】
【０００１】
本考案は、試験片、試験片を収納する容器本体及び容器本体の上方開口部を閉鎖する蓋とを備える検査装置に関するものである。
【背景技術】
【０００２】
イムノクロマト法による試薬を含む試験片は、例えば、妊娠検査、あるいは感染症（インフルエンザウイルス、肝炎ウイルス、アデノウイルス等）の検査に広く用いられている。
【０００３】
このような試験片は、一般に、試料（液体）の流れ方向に長尺な試験片と、試験片の流れ方向上流側に設けられ、試料が滴下される試料滴下部と、免疫反応成分を標識した標識粒子（例えば、金コロイド）を含む塗布部と、流れ方向下流側に設けられ、液体を吸収する吸水ろ紙とを備える。
【０００４】
また、試験片の検査領域には反応成分を固定したラインが配置され、免疫反応によりサンドウイッチ反応物が生成されると、その反応物に由来する着色ラインが呈されるので、これを観察することにより、検査結果を判定する。
【０００５】
試験片には、ウイルス等の病原体が直接付着する可能性が高く、安全衛生の面から試験片にあやまって検査者等の手が触れないように配慮すべきである。このため、試験片を、容器で包囲することが多い。
【０００６】
試験片を包囲する容器には、容器本体と蓋とを折り曲げ可能なヒンジ部で一体的に連結する１ピースタイプのものと、容器本体と蓋とを別体に構成する２ピースタイプのものがある。
【０００７】
試験片は、上述したように、流れ方向に依存して各部品が配置されるものであるから、試料滴下部に正しく試料が滴下され、試料滴下部（上流側）から吸水ろ紙（下流側）に向けて試料が正しく流れるようになっていなければならない。もし、その逆に吸水ろ紙側に試料が先に接触するようならば、検査結果は全く信頼性を失ってしまう。
【０００８】
このため、従来のこの種の容器（２ピースタイプ）では、容器本体に方向性を持たせてある。即ち、試験片を正しい向きの反対の向きとすると、容器本体に収納ができないように構成されている。
【０００９】
しかしながら、このようにすると、試験片を容器に詰める作業を行う作業員は、いちいち容器の方向を確認し、また、試験片の方向を確認し、これらの方向があっているかどうかチェックしなければならず、手間がかかり作業効率が悪い。
【００１０】
実際、後に例を挙げながら詳述するように無駄な作業時間が発生しており、特に大量の試験装置を組み立てる場合には、この問題が一層顕著となる。
【特許文献１】特開２００５−３７３８５号公報
【考案の開示】
【考案が解決しようとする課題】
【００１１】
そこで本考案は、試験片の向きが正しい向きになることを保証しながら、しかも試験装置の組立時間を短縮できる検査装置を提供することを目的とする。
【課題を解決するための手段】
【００１２】
第１の考案に係る検査装置は、ストリップと、ストリップの試料流れ方向上流側に配置される試料滴下部と、試料滴下部よりも流れ方向下流側に配置される塗布部と、塗布部よりも流れ方向下流側に配置され最大の厚さを有する吸水ろ紙と、塗布部と吸水ろ紙との間に配置される検査領域とを有する試験片と、試験片を流れ方向の正逆いずれの方向にも収納可能な保持部を有する容器本体と、容器本体の上方開口部を閉鎖する蓋とを備える検査装置であって、蓋の一部を蓋の他の部分よりも厚く形成し、蓋の方向が試験片の流れ方向に合致しない場合、厚く形成された蓋の一部が吸水ろ紙に干渉し蓋で容器本体を閉鎖できないように形成される。
【００１３】
この構成において、試験片を容器本体の保持部へ収納する前には、容器本体には事実上方向性がないと言っても過言ではない。さらに、試験片を容器本体の保持部へ収納する際には、作業者等は試験片の方向性について全く考慮する必要がない。
【００１４】
したがって、後述する実例にあるように、試験片を容器本体の保持部へ収納する際の作業性が大幅に向上する。
【００１５】
試験片を容器本体の保持部に収納した後には、容器本体には方向性が出てくるが、これは試験片を視認すれば容易に理解できるので、作業者等は試験片による方向性にあわせて蓋の方向を決め、容器本体を閉鎖すればよい。
【００１６】
万一、作業者等が方向性を誤った場合でも、厚く形成された蓋の一部が吸水ろ紙に干渉し蓋で容器本体を閉鎖できない状態となるので、蓋の向きを容易に訂正できる。これにより、蓋の方向が間違ったまま作業が完了することがない。つまり、試験片の向きが容器に対して正しい向きになることを保証でき、その結果、検査結果の信頼性を担保できる。
【００１７】
第２考案に係る検査装置では、厚く形成された蓋の一部は、蓋の方向が試験片の流れ方向に合致する場合、試験片の試料滴下部へ開口する漏斗部である。
【００１８】
この構成により、試料を試料滴下部へ集中させるため通常厚く形成される漏斗部を用い、言い換えれば、特別な追加的部材無しに、蓋の方向に関する誤りを訂正することができる。
【００１９】
第３の考案に係る検査装置では、蓋の方向が試験片の流れ方向に合致する場合、蓋のうち試験片の検査領域の上方に位置する部分は、検査領域を外部から視認できる透明又は半透明な観察窓となっている。
【００２０】
この構成により、検査結果を意味するサインを検査者等は容易に視認できる。
【００２１】
第４の考案に係る検査装置では、ストリップと、ストリップの中央部に配置される試料滴下部と、ストリップの第１端部に配置される第１吸水ろ紙と、試料滴下部よりも第１端部に至る第１流れ方向下流側に配置される第１塗布部と、第１塗布部と第１吸水ろ紙との間に配置される第１検査領域と、ストリップの第２端部に配置される第２吸水ろ紙と、試料滴下部よりも第２端部に至る第２流れ方向下流側に配置される第２塗布部と、第２塗布部と第２吸水ろ紙との間に配置される第２検査領域とを有する試験片と、試験片を流れ方向の正逆いずれの方向にも収納可能な保持部を有する容器本体と、容器本体の上方開口部を閉鎖する蓋とを備える検査装置であって、第１吸水ろ紙及び第２吸水ろ紙の一方に切り欠き部を形成し、蓋の方向が試験片の流れ方向に合致する場合、切り欠き部に至る突片を蓋に形成し、蓋の方向が試験片の流れ方向に合致しない場合、突片が切り欠き部が形成されていない吸水ろ紙に干渉し蓋で容器本体を閉鎖できないように形成される。
【００２２】
この構成により、第１流れ方向において第１検査を行い、同時に、第２流れ方向において第２検査を行う様な場合であっても、第１の考案と同様に、試験片を容器本体の保持部へ収納する際の作業性が大幅に向上する。
【００２３】
また万一、作業者等が方向性を誤った場合でも、突片が、切り欠き部が形成されてない吸水ろ紙に干渉し蓋で容器本体を閉鎖できない状態となるので、蓋の向きを容易に訂正できる。これにより、蓋の方向が間違ったまま作業が完了することがない。つまり、試験片の向きが容器に対して正しい向きになることを保証でき、その結果、検査結果の信頼性を担保できる。
【考案の効果】
【００２４】
本考案は、以上のように構成したので、試験片を容器本体の保持部へ収納する際には、作業者等は試験片の方向性について全く考慮する必要がないから、その際の作業性が大幅に向上する。
【００２５】
万一、作業者等が方向性を誤った場合でも、蓋で容器本体を閉鎖できない状態となるので、蓋の向きを容易に訂正でき、試験片の向きが容器に対して正しい向きになることを保証できる。
【考案を実施するための最良の形態】
【００２６】
（実施の形態１）
以下図面を参照しながら、本考案の実施の形態を説明する。
【００２７】
本考案に係る検査装置は、試験片１０と、試験片１０を流れ方向の正逆いずれの方向にも収納可能な保持部２７を有する容器本体２０と、容器本体２０の上方開口部を閉鎖する蓋３０とを備える。
【００２８】
図１は、本考案の実施の形態１における試験片の側面図である。まず、図１を参照しながら、試験片１０について説明する。
【００２９】
本考案が適用できる試験片１０は、イムノクロマト法による試薬を含むものであれば任意である。検査は、妊娠検査、感染症（インフルエンザウイルス、肝炎ウイルス、アデノウイルス等）の検査、あるいは薬毒物の検査などが考えられるが、いずれであっても良い。
【００３０】
図１に示すように、試験片１０は、一般に、液状の試料（例えば、妊娠検査であれば尿、感染症の検査であれば血液、粘膜のぬぐい液などが含まれる。）の流れ方向（図１では、矢印Ｎ１方向で示される右から左への方向）に長尺なニトロセルロースメンブレンを主材とするストリップ１を有する。なお、ストリップ１は、裏打ちされていてもいなくてもよい。
【００３１】
試料滴下部２は、試験片１０の流れ方向Ｎ１上流側に設けられ、試料が滴下される。
【００３２】
塗布部３は、試料滴下部２の流れ方向下流側に設けられ、免疫反応成分を標識した標識粒子（例えば、金コロイド）を含む。
【００３３】
吸水ろ紙４は、流れ方向Ｎ１の下流端部に設けられ、余分な試料を吸収し、矢印Ｎ１方向の吸引力を提供する。
【００３４】
試験片１０のうち、塗布部３と吸水ろ紙４との間に設定される検査領域５には、反応成分を固定したラインが配置され、免疫反応の結果サンドウイッチ反応物が生成されると、それに由来する着色ラインが呈される。着色ラインの状態により、検査結果（例えば、陽性か陰性か等）が判定される。
【００３５】
図１に示すように、試験片１０の厚さに着目すると、流れ方向Ｎ１の下流側端部に位置する吸水ろ紙４の厚さｔ２が最大であり、その反対（流れ方向Ｎ１の上流側端部）に位置する試料滴下部２の厚さｔ１は、厚さｔ２よりも小さい。
【００３６】
次に図２、図３を参照しながら、本形態の容器本体２０について説明する。
【００３７】
容器本体２０は、底面が試験片１０の底面を縦横に拡大したような形状、即ち、試験片１０の流れ方向Ｎ１に長い略矩形状をなす。勿論、適宜アールを付すなど種々の形状変更を実施しても差し支えない。
【００３８】
特に本考案の容器本体２０は、試験片１０を流れ方向の正逆いずれの方向にも収納可能な保持部２７を有する。より具体的には、流れ方向Ｎ１と平行な中心線Ｃ１及びそれに直交する中心線Ｃ２に対して線対称な形状をなし、試験片１０が保持部２７に収納されない限り、長手方向については方向性がない（どちらに向けても同じである）。
【００３９】
矩形で水平な底板２２の各辺は、垂直に起立する側板２１により囲繞され上方が開口部となっている。また、上記各中心線Ｃ１、Ｃ２について対称となるように、側部ガイド２３、２４及び端部ガイド２５、２６がそれぞれ立設される。側部ガイド２３は試験片１０の側部に接触し、端部ガイド２５、２６は、試験片１０の端部に接触して、容器本体２０に対して試験片１０を位置決めするようになっている。
【００４０】
図２、図３の例では、各ガイド２３〜２６を立設して試験片１０に接触させて位置決めするようにしたが、これは例示に過ぎず、例えば、適当な凹みを設けて位置決めするようにするなど種々変更して差し支えない。
【００４１】
さて、上述したように、容器本体２０は、長手方向については方向性がない。ところが、試験片１０を収納すると、試験片１０自身が方向性を持つので、試験片１０と容器本体２０との組み合わせは、方向性を持つこととなる。
【００４２】
例えば、図４に示すように、試料滴下部２が左側で吸水ろ紙４が右側（つまり流れ方向Ｎ１は、左から右）となるように、試験片１０を保持部２７に収納すると、容器本体２０の流れ方向も試験片１０のそれと同じになる。
【００４３】
一方、図５に示すように、試料滴下部２が右側で吸水ろ紙４が左側（つまり流れ方向Ｎ１は、右から左）となるように、試験片１０を保持部２７に収納すると、容器本体２０の流れ方向は、図４とは逆になる。
【００４４】
さて、上述した試験片１０の厚さの関係を考慮し、本考案の蓋３０は、図６、図７に示すように構成される。
【００４５】
蓋３０は、水平で容器本体２０の上方開口部を封鎖できる天板３１と、容器本体２０の側板２１の内側に嵌り込む下向きのリブ３２とを有する。これらの点は、通常の蓋と大差ない。
【００４６】
一方、試験片１０の方向性と合致する場合、試験片１０の試料滴下部２の位置にあわせて漏斗部３３が下向きに突設され、漏斗部３３の下端面は開口し、そこを介して下向きに試料を滴下できるようになっている。
【００４７】
また、吸水ろ紙４にあう位置は、単に天板３１のみとなっている。さらに、検査領域５にあう位置には、透明な観察窓３４となっている。
【００４８】
蓋３０の深さに着目すると、図７に示すように、試料滴下部２にあうべき漏斗部３３の深さＨ１は、吸水ろ紙４にあうべき天板３１の深さＨ２よりもかなり大となっている。
【００４９】
このため、図４に示すような向きに試験片１０が容器本体２０に収納される場合、蓋３０を図７の向きとして、蓋３０により容器本体２０の開口部を閉鎖しようとすると、図８に示すように、深い漏斗部３３は、薄い試料滴下部２に合致し、浅い天板３１は、厚い吸水ろ紙４に合致するため、部材の干渉は発生せず、支障なく閉鎖を行える。
【００５０】
ここで、蓋３０による閉鎖の前には、試験片１０は、上方から視認できるので、作業者等は、通常、蓋３０の向きを間違えることは少ない。
【００５１】
しかしながら、作業者等がうっかりして、蓋３０を図７の左右逆にすると、図９に示すように、深い漏斗部３３と厚い吸水ろ紙４とが干渉し、蓋３０を閉じること自体ができない。このため、作業者等は誤りに気づき、正しい向きに蓋３０を反転させた上で、蓋３０を閉じることになる。
【００５２】
なお、漏斗部３３を設けること自体は、従前から知られており、以上のように深さの関係を調整するだけで、部材の不要な追加無しに、試験片の向きが容器に対して正しい向きになることを保証でき、その結果、検査結果の信頼性を担保できる。
【００５３】
また、図５に示すような向きに試験片１０が容器本体２０に収納される場合、蓋３０を図７の左右逆にして、蓋３０により容器本体２０の開口部を閉鎖しようとすると、図１０に示すように、深い漏斗部３３は、薄い試料滴下部２に合致し、浅い天板３１は、厚い吸水ろ紙４に合致するため、部材の干渉は発生せず、支障なく閉鎖を行える。
【００５４】
しかしながら、作業者等がうっかりして、蓋３０を図７の方向とすると、図１１に示すように、深い漏斗部３３と厚い吸水ろ紙４とが干渉し、蓋３０を閉じること自体ができない。
【００５５】
このため、作業者等は誤りに気づき、正しい向きに蓋３０を反転させた上で、蓋３０を閉じることになる。
【００５６】
（実施の形態２）
実施の形態１では、流れの方向が一つの場合を説明した。しかしながら、例えば、インフルエンザウイルスのＡ型とＢ型の検査を同時並行して行う様な場合がある。このように流れの方向が複数である場合にも、以下述べるように、本考案は適用できる。
【００５７】
実施の形態２における試験片４０は、概ね左右対称のレイアウトとなる。図１２に示すように、試験片４０は、中央に２つの検査に共通して使用される試料滴下部４２を有する。
【００５８】
試料滴下部４２の左右には、第１流れ方向Ｎ３、第２流れ方向Ｎ４についてそれぞれ、長尺なニトロセルロースメンブレンを主材とするストリップ４１が配置される。実施の形態１と同様に、ストリップ４１は、裏打ちされていてもいなくてもよい。
【００５９】
第１流れ方向Ｎ３に沿って、試料滴下部４２に続けて、第１塗布部４３が、試料滴下部４２の流れ方向Ｎ３下流側に設けられ、第１塗布部４３は、第１流れ方向Ｎ３に関する免疫反応成分を標識した標識粒子（例えば、金コロイド）を含む。
【００６０】
第１吸水ろ紙４４は、第１流れ方向Ｎ３の下流端部に設けられ、余分な試料を吸収し、矢印Ｎ３方向の吸引力を提供する。
【００６１】
第１塗布部４３と第１吸水ろ紙４４との間に設定される第１検査領域４５には、第１流れ方向Ｎ３に関する反応成分を固定したラインが配置され、免疫反応の結果サンドウイッチ反応物が生成されると、それに由来する着色ラインが呈される。着色ラインの状態により、第１流れ方向Ｎ３に関する検査結果（例えば、陽性か陰性か等）が判定される。
【００６２】
第２流れ方向Ｎ４に沿って、試料滴下部４２に続けて、第２塗布部４６が、試料滴下部４２の流れ方向Ｎ４下流側に設けられ、第２塗布部４６は、第２流れ方向Ｎ４に関する免疫反応成分を標識した標識粒子（例えば、金コロイド）を含む。
【００６３】
第２吸水ろ紙４７は、第２流れ方向Ｎ４の下流端部に設けられ、余分な試料を吸収し、矢印Ｎ４方向の吸引力を提供する。
【００６４】
第２塗布部４６と第２吸水ろ紙４７との間に設定される第２検査領域４８には、第２流れ方向Ｎ４に関する反応成分を固定したラインが配置され、免疫反応の結果サンドウイッチ反応物が生成されると、それに由来する着色ラインが呈される。着色ラインの状態により、第２流れ方向Ｎ４に関する検査結果（例えば、陽性か陰性か等）が判定される。
【００６５】
さて、図１２に示すように、第１吸水ろ紙４４の端部は、吸水ろ紙のままで終わっており、その厚さＨ３は、吸水ろ紙４４の厚さとストリップ４１の厚さの和となっている。
【００６６】
一方、第２吸水ろ紙４７の端部は、長さｔ４だけ切り欠かれており、その部分の厚さＨ５は、ストリップ４１の厚さである。即ち、厚さＨ３は、厚さＨ５よりも大である。なお、このようにしても、第２吸水ろ紙４７の吸引力は十分得られる。
【００６７】
実施の形態２の容器本体５０は、実施の形態１と同様に、図１３、図１４に示すように、試験片４０を流れ方向の正逆いずれの方向にも収納可能な保持部５７を有する。
【００６８】
より具体的には、流れ方向Ｎ３乃至Ｎ４と平行な中心線Ｃ３及びそれに直交する中心線Ｃ４に対して線対称な形状をなし、試験片４０が保持部５７に収納されない限り、長手方向については方向性がない（どちらに向けても同じである）。
【００６９】
矩形で水平な底板５２の各辺は、垂直に起立する側板５１により囲繞され上方が開口部となっている。また、上記各中心線Ｃ３、Ｃ４について対称となるように、側部ガイド５３、５４及び端部ガイド５５、５６がそれぞれ立設される。
【００７０】
側部ガイド５３は試験片４０の側部に接触し、端部ガイド５５、５６は、試験片４０の端部に接触して、容器本体５０に対して試験片４０を位置決めするようになっている。
【００７１】
図１３、図１４の例では、各ガイド５３〜５６を立設して試験片４０に接触させて位置決めするようにしたが、これは例示に過ぎず、例えば、適当な凹みを設けて位置決めするようにするなど種々変更して差し支えない。
【００７２】
さて、上述したように、容器本体５０は、長手方向については方向性がない。ところが、試験片４０を収納すると、試験片４０自身が方向性を持つので、試験片４０と容器本体５０との組み合わせは、方向性を持つこととなる。
【００７３】
例えば、図１５に示すように、第１流れ方向Ｎ３が左向きで、第２流れ方向Ｎ４が右向きとなるように、試験片４０を保持部５７に収納すると、容器本体５０の方向性は、試験片４０のそれと同じになる。このとき、第２吸水ろ紙４７の切り欠き部は右側に位置する。
【００７４】
一方、図１６に示すように、第１流れ方向Ｎ３が右向きで、第２流れ方向Ｎ４が左向きとなるように、試験片４０を保持部５７に収納すると、容器本体５０の方向性は、図１５とは逆になる。このとき、第２吸水ろ紙４７の切り欠き部は左側に位置する。
【００７５】
さて、上述した試験片４０の厚さの関係を考慮し、本考案の蓋６０は、図１７、図１８に示すように構成される。
【００７６】
蓋６０は、水平で容器本体５０の上方開口部を封鎖できる天板６１と、容器本体５０の側板５１の内側に嵌り込む下向きのリブ６２とを有する。
【００７７】
蓋６０の中央部には、試験片４０の試料滴下部４２の位置にあわせて漏斗部６３が下向きに突設され、漏斗部６３の下端面は開口し、そこを介して下向きに試料を滴下できるようになっている。
【００７８】
また、漏斗部６３を中心として、検査領域４５、４８の位置にあわせ、それぞれ透明な観察窓６５、６４とが設けられる。
【００７９】
そして、蓋６０が正しい向きとなると、第２吸水ろ紙４７の切り欠き部にあう位置に突片６６が下向きに設けられている。
【００８０】
つまり、蓋６０の深さは、第２吸水ろ紙４７の切り欠き部にあうべき位置において、天板６１の厚さよりも突片６６の深さだけ深くなっている。
【００８１】
このため、図１６に示すような向きに試験片４０が容器本体６０に収納される場合、蓋６０を図１８の向きとして、蓋６０により容器本体６０の開口部を閉鎖しようとすると、図１９に示すように、突片６６は、第２吸水ろ紙４７の切り欠き部に合致し、浅い天板６１は、切り欠かれていない第１吸水ろ紙４４に合致するため、部材の干渉は発生せず、支障なく閉鎖を行える。
【００８２】
ここで、蓋６０による閉鎖の前には、試験片４０は、上方から視認できるので、作業者等は、通常、蓋４０の向きを間違えることは少ない。
【００８３】
しかしながら、作業者等がうっかりして、蓋６０を図１９の左右逆にすると、図２０に示すように、突片６６と切り欠かれていない第１吸水ろ紙４４とが干渉し、蓋６０を閉じること自体ができない。
【００８４】
このため、作業者等は誤りに気づき、正しい向きに蓋６０を反転させた上で、蓋６０を閉じることになる。
【００８５】
（作業時間例）
容器本体に方向性がある比較例と、容器本体に方向性がない本考案の例について、袋詰めの状態で納品された容器本体を組立工程に載せる場合の作業時間を計測したところ、次の結果を得た。
【００８６】
比較例による場合：２００個サンプルを処理するに２２５秒を要した。サンプル１個あたりの平均要処理時間は１．１２５秒であった。
【００８７】
本考案の例による場合：２００個サンプルを処理するに１３５秒を要した。サンプル１個あたりの平均要処理時間は０．６７５秒であった。
【００８８】
即ち、サンプル１個あたりの平均要処理時間は、本考案では約０．４５秒短縮できている。
【００８９】
例えば、１００万個の検査装置では、１２５時間相当の時間短縮が可能になることになる。言い換えれば、本考案によれば、作業効率を顕著に改善できる点が理解されよう。
【図面の簡単な説明】
【００９０】
【図１】本考案の実施の形態１における試験片の側面図
【図２】本考案の実施の形態１における容器本体の平面図
【図３】本考案の実施の形態１における容器本体の縦断面図
【図４】本考案の実施の形態１における容器本体及び試験片の縦断面図
【図５】本考案の実施の形態１における容器本体及び試験片の縦断面図
【図６】本考案の実施の形態１における蓋の平面図
【図７】本考案の実施の形態１における蓋の縦断面図
【図８】本考案の実施の形態１における試験装置の縦断面図
【図９】本考案の実施の形態１における試験装置の縦断面図
【図１０】本考案の実施の形態１における試験装置の縦断面図
【図１１】本考案の実施の形態１における試験装置の縦断面図
【図１２】本考案の実施の形態２における試験片の側面図
【図１３】本考案の実施の形態２における容器本体の平面図
【図１４】本考案の実施の形態２における容器本体の縦断面図
【図１５】本考案の実施の形態２における容器本体及び試験片の縦断面図
【図１６】本考案の実施の形態２における容器本体及び試験片の縦断面図
【図１７】本考案の実施の形態２における蓋の平面図
【図１８】本考案の実施の形態２における蓋の縦断面図
【図１９】本考案の実施の形態２における試験装置の縦断面図
【図２０】本考案の実施の形態２における試験装置の縦断面図
【符号の説明】
【００９１】
１、４１  ストリップ
２、４２  試料滴下部
３、４３、４６  塗布部
４、４４、４７  吸水ろ紙
１０、４０  試験片
２０、５０  容器本体
２１、５１  側板
２２、５２  底板
２３、２４、５３、５４  側部ガイド
２５、２６、５５、５６  端部ガイド
２７、５７  保持部
３０、６０  蓋
３１、６１  天板
３２、６２  リブ
３３、６３  漏斗部
３４、６４、６５  観察窓
６６  突片
Ｃ１、Ｃ２、Ｃ３、Ｃ４  中心線
【図１】
0003142966.tif 000003
【図２】
0003142966.tif 000004
【図３】
0003142966.tif 000005
【図４】
0003142966.tif 000006
【図５】
0003142966.tif 000007
【図６】
0003142966.tif 000008
【図７】
0003142966.tif 000009
【図８】
0003142966.tif 000010
【図９】
0003142966.tif 000011
【図１０】
0003142966.tif 000012
【図１１】
0003142966.tif 000013
【図１２】
0003142966.tif 000014
【図１３】
0003142966.tif 000015
【図１４】
0003142966.tif 000016
【図１５】
0003142966.tif 000017
【図１６】
0003142966.tif 000018
【図１７】
0003142966.tif 000019
【図１８】
0003142966.tif 000020
【図１９】
0003142966.tif 000021
【図２０】
0003142966.tif 000022